(57)【特許請求の範囲】
【請求項１】
四辺形の四隅が荷重センサにて支持される計量台上に被計量物を載置してその被計量物の重量を測定するようにし、前記四辺形の一辺の両端に配される２個の荷重センサの出力信号に基づいて算出された荷重信号の比率と、前記一辺の対辺の両端に配される２個の荷重センサの出力信号に基づいて算出された荷重信号の比率との相対比率を求め、この相対比率に基づいて前記荷重センサのスパンの異常を検出するスパン異常検出手段を備える計量装置において、
前記四隅を支持する複数の荷重センサの出力信号のそれぞれに含まれる運転中に生じる零点変動成分を運転中に個別に除去した荷重信号を生成する零点変動成分除去手段を備え、該零点変動成分除去手段によって、前記四辺形の一辺の両端に配される２個の荷重センサの出力信号に基づいて算出された荷重信号、及び前記一辺の対辺の両端に配される２個の荷重センサの出力信号に基づいて算出された荷重信号のそれぞれに含まれる零点変動成分が除去されることを特徴とする計量装置。
【請求項２】
前記零点変動成分除去手段は、前記四辺形の一辺の両端に配される２個の荷重センサの出力信号に基づいて算出された荷重信号、及び前記一辺の対辺の両端に配される２個の荷重センサの出力信号に基づいて算出された荷重信号のそれぞれに含まれる零点変動成分を運転中に個別に手動又は自動的に除去するものである請求項１に記載の計量装置。
【請求項３】
前記零点変動成分除去手段は、前記荷重センサから出力される荷重信号の安定判別を行うとともに、前記荷重センサの安定重量値を生成する安定重量値生成手段と、前記安定重量値生成手段によって生成された最新の安定重量値と、この最新の安定重量値の一つ前のタイミングにおいて生成された安定重量値との差を安定荷重変化量として各荷重センサ毎に算出する荷重変化量算出手段である請求項１に記載の計量装置。
【請求項４】
前記計量台の被計量物の載置面がなす平面上の任意の位置に原点を定めるとともに、前記原点を通り前記平面上で互いに直交する二軸のいずれか一方の軸をｘ軸として定め、前記荷重センサの出力信号に基づいて前記ｘ軸上の前記被計量物の重心位置をｘ座標値として定める被計量物重心位置算出手段と、全ての荷重センサの出力信号を演算することによって、前記計量台上に載置された前記被計量物の重心位置のｘ座標値に対する前記相対比率の関係を規定するスパン評価係数を算出するｘ座標値用スパン評価係数算出手段とを備えることを特徴とする請求項１〜３のうちのいずれかに記載の計量装置。
【請求項５】
当該計量装置の調整モードにおいて、当該計量装置の通常運転時における前記被計量物の重心位置のｘ座標値に基づいて前記ｘ座標値に対応するスパン評価係数の基準値を算出するための算出式を決定するｘ座標値用スパン評価係数基準値算出式決定手段を備えることを特徴とする請求項４に記載の計量装置。
【請求項６】
当該計量装置の通常運転時における荷重センサに基づくｘ座標値を、前記ｘ座標値用スパン評価係数基準値算出式決定手段により決定された算出式に適用することによって、被計量物の重心位置の前記ｘ座標値に対応するスパン評価係数の基準値を算出することを特徴とする請求項５に記載の計量装置。
【請求項７】
前記スパン異常検出手段は、当該計量装置の通常運転時において、前記ｘ座標値用スパン評価係数算出手段によって算出されるスパン評価係数と、前記ｘ座標値用スパン評価係数基準値算出式決定手段によって算出されるスパン評価係数の基準値とを比較することによっていずれかの荷重センサのスパンの異常を検出することを特徴とする請求項６に記載の計量装置。
【請求項８】
前記計量台の被計量物の載置面がなす平面上の任意の位置に原点を定めるとともに、前記原点を通り前記平面上で互いに直交する二軸をそれぞれｘ軸、ｙ軸として定め、前記荷重センサの出力信号に基づいて前記ｘ軸上及びｙ軸上の前記被計量物の重心位置をそれぞれｘ座標値及びｙ座標値として定める被計量物重心位置算出手段と、全ての荷重センサの出力信号を演算することによって、前記計量台上に載置された前記被計量物の重心位置のｘ座標値及びｙ座標値に対する前記相対比率の関係を規定するスパン評価係数を算出するｘ，ｙ座標値用スパン評価係数算出手段とを備えることを特徴とする請求項１〜３のうちのいずれかに記載の計量装置。
【請求項９】
当該計量装置の調整モードにおいて、当該計量装置の通常運転時における前記被計量物の重心位置のｘ座標値及びｙ座標値に基づいて前記ｘ座標値及びｙ座標値に対応するスパン評価係数の基準値を算出するための算出式を決定するｘ，ｙ座標値用スパン評価係数基準値算出式決定手段を備えることを特徴とする請求項８に記載の計量装置。
【請求項１０】
当該計量装置の通常運転時における荷重センサに基づくｘ座標値及びｙ座標値を、前記ｘ，ｙ座標値用スパン評価係数基準値算出式決定手段により決定された算出式に適用することによって、被計量物の重心位置の前記ｘ座標値及びｙ座標値に対応するスパン評価係数の基準値を算出することを特徴とする請求項９に記載の計量装置。
【請求項１１】
前記スパン異常検出手段は、当該計量装置の通常運転時において、前記ｘ，ｙ座標値用スパン評価係数算出手段によって算出されるスパン評価係数と、前記ｘ，ｙ座標値用スパン評価係数基準値算出式決定手段によって算出されるスパン評価係数の基準値とを比較することによっていずれかの荷重センサのスパンの異常を検出することを特徴とする請求項１０に記載の計量装置。
【発明の詳細な説明】
【技術分野】
【０００１】
本発明は、計量台の四隅を支持する荷重センサのうち、いずれの荷重センサのスパンが異常であるかを検出するようにした計量装置に関するものである。
【背景技術】
【０００２】
計量装置の機能を達成する最重要要素である荷重センサ（以下、「ロードセル」という。）が故障した場合に、その故障状態を容易、精確かつ速やかに判定することが必要である。故障の程度が小さいうちにその故障を精確に発見することができれば、新たなロードセルと交換するまで作業を中断せずに計量作業を継続することが可能である。ここで、ロードセルの故障には、零点変動量が異常に大きくなることと、スパンの変動量が異常に大きくなることとがある。これら零点変動量及びスパン変動量の異常については、通常の計量作業中に特別な操作を必要とせずに判定し、異常があれば警報を発するようにすることが求められる。
【０００３】
故障要因のうち零点の変動については、計量作業中、作業者は計量台上に被計量物がないときの重量表示によって零点を確認し、もし零点がシフトしていれば、零点調整スイッチを操作し重量表示値を零点調整してから使用するので、ロードセルの使用範囲における直線性などとの関係で、零点調整が不可能なほど零点変動が大きい場合に、つまり変動量の絶対値が大きい場合に異常警報を発すれば良い。また、零点は、計量台への異物付着など、ロードセルが正常であってもたびたび変動する。
【０００４】
一方、スパンの異常は、通常の作業の中で修正する機能はない上に、変動量の絶対値が小さい場合でも異常が判定できなければならない。例えば、計量装置の精度が１／２０００の仕様である場合、厳密にスパンの異常を判定するのであれば、被計量物がほぼ定格荷重に相当する荷重における被計量物の重量測定値として１／２０００以上の変動量であればスパン異常を警報するような許容値が設定される。しかし、この値であっても零点変動量として判断すると小さいので単に重量測定値の変動量の大きさを判定して異常警報するようにすると、上述のように零点変動を要因とする不必要な異常警報が出力され、計量装置として使いにくいものとなる。また、反対に、小さい出力変動を無視する大きい許容値による判定であると、精確にスパン異常を検出・警報することができない。
【０００５】
従来、計量台の四隅をロードセルにて支持された計量装置の故障を診断する装置として、特許文献１，２に開示されるものがある。
【先行技術文献】
【特許文献】
【０００６】
【特許文献１】特開２００６−１６２２５２号公報
【特許文献２】特開２００６−２２６９６１号公報
【０００７】
上記特許文献１，２に開示された故障診断装置においては、４個のロードセルの中で２個以上の異常品が同時に発生しないとの条件の下で、計量作業中に４個のロードセルのうちでいずれかのロードセルにスパンの異常が生じたことを容易にかつ速やかに判定するように構成されている。しかしながら、上述のようにスパンの異常は零点変動と区別してその異常状態を警報する必要があるものであるが、上記特許文献１，２のものでは、スパンの異常判定のために取り扱う個別のロードセルの出力信号の中に零点変動分が含まれた場合に、零点変動をスパンの異常として判定し、スパンの異常でないにもかかわらず異常判定したり、たびたび異常判定による警報が出力されてしまうという問題点がある。
【０００８】
また、各ロードセルの出力信号の中には個別に零点変動量成分が含まれるので、精確にスパン変動を評価するには個々のロードセルに零点移動量を除去する手段を備える必要があるが、上記特許文献１，２のものでは、通常の使用中に個別ロードセルの零点変動分に対する除去処理方法については何ら考慮されていない。
【０００９】
また、上述した問題点とは別に、仮にロードセルの出力信号の中から零点変動成分が除去されていたとしても、以下に述べるように、精確な異常判定ができないという問題点もある。
【００１０】
図１（ａ）に示されるように、四辺形の形状をなす計量台５の四隅ａ，ｂ，ｃ，ｄ点にそれぞれロードセル１Ａ，１Ｂ，１Ｃ，１Ｄが設置されていれば、下記式（５０）が成立する。しかしながら、実機においては計量台５を支持するロードセルを四辺形の四隅に精確に寸法通りに配置することは困難であり（設置寸法の精度を１／１０００にするのも容易ではない。）、ａ，ｂ，ｃ，ｄ点は極端に表現すれば図１（ｂ）に示されるような配置になる。この場合、例えば被計量物の重心位置Ｇがｙ＝Ｂ／２の線上をｘ軸に沿って移動するとき、重心位置Ｇにおける被計量物の荷重Ｗｘのロードセル１Ａ，１Ｂに分配される荷重の比率と、ロードセル１Ｄ，１Ｃに分配される荷重の比率は、ｘ座標の値、すなわち被計量物の重心位置Ｇのｘ座標値によって異なる。したがって、比Ｗ１／Ｗ２及び比Ｗ４／Ｗ３はｘ座標の値、つまり被計量物の計量台５上での載置位置に応じて異なる。また、ｙ軸方向への移動についても同様である。
Ｗ１＝｛（Ａ−ｘ）・（Ｂ−ｙ）／Ａ・Ｂ｝Ｗｘ
Ｗ２＝｛ｘ・（Ｂ−ｙ）／Ａ・Ｂ｝Ｗｘ
Ｗ３＝｛ｘ・ｙ／Ａ・Ｂ｝Ｗｘ
Ｗ４＝｛（Ａ−ｘ）・ｙ／Ａ・Ｂ｝Ｗｘ
Ｗ１／Ｗ２＝Ｗ４／Ｗ３＝（Ａ−ｘ）／ｘ
Ｗ１／Ｗ４＝Ｗ２／Ｗ３＝（Ｂ−ｙ）／ｙ                      ・・・（５０）
【００１１】
したがって、特許文献１の段落〔００４６〕以下に記載のように、調整時点で計量台上のある一点での被計量物の載置位置を基準に取って被計量物が計量台上の任意の位置に載置される通常の計量時にスパンの異常を評価するとき、Ｒ０の値は被計量物の計量台上の重心位置のｘ座標値又はｘ，ｙ座標値によって異なるので、仮にロードセルのスパンが変動しなくても、被計量物の重心位置によって精確には（Ｒｔ−Ｒ０）／Ｒ０の値は種々の値を取る。毎回、被計量物の重心位置がほぼ同じ位置になるように載置すれば精確に成り立つが、毎回の通常の計量作業において精確に同じ位置へ載置するのは困難である。
【００１２】
また、特許文献１の段落〔００３３〕以下に記載されている方法において、毎回の被計量物の計量台上の位置を精確にＤの位置だけ移動させるのは、高い精度（例えば１／１０００以上）でスパンの異常を検出しようとする場合には、Ｄに対してその精度が求められるので通常の作業においては困難であり、毎回の計量作業において同文献１に記載の式（１０）のように表わすことができず、いずれかのロードセルのスパンが異常であることを精確に判定することはできない。
【発明の概要】
【発明が解決しようとする課題】
【００１３】
本発明は、前述のような問題点に鑑みてなされたもので、四隅がロードセルにて支持された計量台を備える計量装置において、荷重センサの設置位置が四辺形の四隅位置からずれている場合でも、通常の計量作業を実施する中でいずれかの荷重センサのスパンが異常となったことを、容易にかつ精確に早期に検出することのできる計量装置を提供することを目的とするものである。
【課題を解決するための手段】
【００１４】
前記目的を達成するために、第１発明による計量装置は、
四辺形の四隅が荷重センサにて支持される計量台上に被計量物を載置してその被計量物の重量を測定するようにし、前記四辺形の一辺の両端に配される２個の荷重センサの出力信号に基づいて算出された荷重信号の比率と、前記一辺の対辺の両端に配される２個の荷重センサの出力信号に基づいて算出された荷重信号の比率との相対比率を求め、この相対比率に基づいて前記荷重センサのスパンの異常を検出するスパン異常検出手段を備える計量装置において、
前記四隅を支持する複数の荷重センサの出力信号のそれぞれに含まれる運転中に生じる零点変動成分を運転中に個別に除去した荷重信号を生成する零点変動成分除去手段を備え、該零点変動成分除去手段によって、前記四辺形の一辺の両端に配される２個の荷重センサの出力信号に基づいて算出された荷重信号、及び前記一辺の対辺の両端に配される２個の荷重センサの出力信号に基づいて算出された荷重信号のそれぞれに含まれる零点変動成分が除去されることを特徴とするものである。
【００１５】
第１発明において、前記零点変動成分除去手段は、前記四辺形の一辺の両端に配される２個の荷重センサの出力信号に基づいて算出された荷重信号、及び前記一辺の対辺の両端に配される２個の荷重センサの出力信号に基づいて算出された荷重信号のそれぞれに含まれる零点変動成分を運転中に個別に手動又は自動的に除去するものであるのが好ましい（第２発明）。
【００１６】
また、第１発明において、前記零点変動成分除去手段は、前記荷重センサから出力される荷重信号の安定判別を行うとともに、前記荷重センサの安定重量値を生成する安定重量値生成手段と、前記安定重量値生成手段によって生成された最新の安定重量値と、この最新の安定重量値の一つ前のタイミングにおいて生成された安定重量値との差を安定荷重変化量として各荷重センサ毎に算出する荷重変化量算出手段であるのが好ましい（第３発明）。
【００１８】
また、第４発明は、第１発明〜第３発明のいずれかにおいて、前記計量台の被計量物の載置面がなす平面上の任意の位置に原点を定めるとともに、前記原点を通り前記平面上で互いに直交する二軸のいずれか一方の軸をｘ軸として定め、前記荷重センサの出力信号に基づいて前記ｘ軸上の前記被計量物の重心位置をｘ座標値として定める被計量物重心位置算出手段と、全ての荷重センサの出力信号を演算することによって、前記計量台上に載置された前記被計量物の重心位置のｘ座標値に対する前記相対比率の関係を規定するスパン評価係数を算出するｘ座標値用スパン評価係数算出手段とを備えることを特徴とするものである。
【００１９】
また、第５発明は、第４発明において、当該計量装置の調整モードにおいて、当該計量装置の通常運転時における前記被計量物の重心位置のｘ座標値に基づいて前記ｘ座標値に対応するスパン評価係数の基準値を算出するための算出式を決定するｘ座標値用スパン評価係数基準値算出式決定手段を備えることを特徴とするものである。
【００２０】
また、第６発明は、第５発明において、当該計量装置の通常運転時における荷重センサに基づくｘ座標値を、前記ｘ座標値用スパン評価係数基準値算出式決定手段により決定された算出式に適用することによって、被計量物の重心位置の前記ｘ座標値に対応するスパン評価係数の基準値を算出することを特徴とするものである。
【００２１】
また、第７発明は、第６発明において、前記スパン異常検出手段は、当該計量装置の通常運転時において、前記ｘ座標値用スパン評価係数算出手段によって算出されるスパン評価係数と、前記ｘ座標値用スパン評価係数基準値算出式決定手段によって算出されるスパン評価係数の基準値とを比較することによっていずれかの荷重センサのスパンの異常を検出することを特徴とするものである。
【００２２】
また、第８発明は、第１発明〜第３発明のいずれかにおいて、前記計量台の被計量物の載置面がなす平面上の任意の位置に原点を定めるとともに、前記原点を通り前記平面上で互いに直交する二軸をそれぞれｘ軸、ｙ軸として定め、前記荷重センサの出力信号に基づいて前記ｘ軸上及びｙ軸上の前記被計量物の重心位置をそれぞれｘ座標値及びｙ座標値として定める被計量物重心位置算出手段と、全ての荷重センサの出力信号を演算することによって、前記計量台上に載置された前記被計量物の重心位置のｘ座標値及びｙ座標値に対する前記相対比率の関係を規定するスパン評価係数を算出するｘ，ｙ座標値用スパン評価係数算出手段とを備えることを特徴とするものである。
【００２３】
また、第９発明は、第８発明において、当該計量装置の調整モードにおいて、当該計量装置の通常運転時における前記被計量物の重心位置のｘ座標値及びｙ座標値に基づいて前記ｘ座標値及びｙ座標値に対応するスパン評価係数の基準値を算出するための算出式を決定するｘ，ｙ座標値用スパン評価係数基準値算出式決定手段を備えることを特徴とするものである。
【００２４】
また、第１０発明は、第９発明において、当該計量装置の通常運転時における荷重センサに基づくｘ座標値及びｙ座標値を、前記ｘ，ｙ座標値用スパン評価係数基準値算出式決定手段により決定された算出式に適用することによって、被計量物の重心位置の前記ｘ座標値及びｙ座標値に対応するスパン評価係数の基準値を算出することを特徴とするものである。
【００２５】
また、第１１発明は、第１０発明において、前記スパン異常検出手段は、当該計量装置の通常運転時において、前記ｘ，ｙ座標値用スパン評価係数算出手段によって算出されるスパン評価係数と、前記ｘ，ｙ座標値用スパン評価係数基準値算出式決定手段によって算出されるスパン評価係数の基準値とを比較することによっていずれかの荷重センサのスパンの異常を検出することを特徴とするものである。
【発明の効果】
【００２６】
前記各発明によれば、荷重センサの設置位置が四辺形の四隅位置から誤差があっても、取り扱う個別荷重センサの出力信号から零点変動分を運転中に確実に除去してスパン変動分のみを精確に検出することができ、いずれかの荷重センサのスパン異常であるかの判定を精確に行うことができる。しかも、このスパンの異常判定を特別な作業を要することなく、通常の計量作業を継続する中で容易に実施することができる。
【図面の簡単な説明】
【００２７】
【図１】本発明の一実施形態に係る計量装置における計量台の模式図
【図２】本実施形態の計量装置の概略システム構成図
【図３】ｘ，ｙ座標による比例配分によってスパン評価係数を求める方法を説明する図
【発明を実施するための形態】
【００２８】
次に、本発明による計量装置の具体的な実施の形態について、図面を参照しつつ説明する。
【００２９】
図１（ａ）（ｂ）には、本発明の一実施形態に係る計量装置における計量台の模式図が示されている。また、図２には、本実施形態の計量装置の概略システム構成図が示されている。
【００３０】
図１（ａ）に示されるように、計量台５は四辺形の形状をなし、四隅ａ，ｂ，ｃ，ｄ点がそれぞれロードセル１Ａ，１Ｂ，１Ｃ，１Ｄにて支持されている。この計量台５の物品載置面を含む平面に、ａ点を原点とし、ａ点とｂ点とを結ぶ直線の方向をｘ軸、ａ点とｄ点とを結ぶ直線の方向をｙ軸としてｘｙ座標を設定する。また、計量台５上に載置された被計量物の重心位置Ｇの座標を（ｘ，ｙ）とし、被計量物の重心位置Ｇにおける荷重をＷｘとし、荷重Ｗｘによる各ロードセル１Ａ，１Ｂ，１Ｃ，１Ｄの出力信号をＷ１，Ｗ２，Ｗ３，Ｗ４とする。また、計量台５の寸法を、ａｂ＝Ａ、ａｄ＝Ｂとする。
ところで、実際には、各ロードセル１Ａ，１Ｂ，１Ｃ，１Ｄの設置位置を精確に四辺形の四隅に配置することは困難であり、その設置位置であるａ，ｂ，ｃ，ｄ点は極端に表現すれば図１（ｂ）に示されるような配置になる。
【００３１】
図２に示されるように、各ロードセル１Ａ，１Ｂ，１Ｃ，１Ｄ（ＬＣ１，ＬＣ２，ＬＣ３，ＬＣ４）は、個別に同じ負荷荷重に対して同じ大きさの出力信号を取り出すように調整される必要があるため、本実施形態の計量装置は、起歪部を含むロードセル本体に貼付されたストレインゲージ・ブリッジ回路の出力電圧を増幅し、Ａ／Ｄ変換した上で、個別ロードセル出力Ｗ１〜Ｗ４を生成し重量測定装置へ出力する演算回路２６を備えている。
【００３２】
演算回路２６は、入出力回路（Ｉ／Ｏ）５１と、中央演算処理装置（ＣＰＵ）５２と、メモリブロック（ＭＥＭ）５３とを備えて構成されている。こうして、Ａ／Ｄ変換器の出力信号は、入出力回路５１から中央演算処理装置５２を介してメモリブロック５３に読み込まれる。ここで、メモリブロック５３は、データを入力、出力、演算のために一次記憶するＲＡＭや設定データを継続記憶するＥＥＰＲＯＭや所定プログラムを継続記憶するＰＲＯＭなどの記憶素子（半導体素子）から成るものである。また、演算回路２６には、表示装置（ＤＩＳ）５４やキースイッチ（ＫＥＹ）５５などが付設されており、重量値等は表示装置５４に表示され、初期荷重記憶操作や零点調整操作はキースイッチ５５によって実施される。
【００３３】
（１）スパンの異常なロードセルの判定
（１．１）ロードセルの出力信号の零点変動処理
各ロードセル１Ａ，１Ｂ，１Ｃ，１Ｄの出力にロードセル個別に零点調整、自動零点調整機能を付加する。例えばロードセル１Ａ〜１Ｄの出力Ｗ１，Ｗ２，Ｗ３，Ｗ４について、次式で表す。
Ｗ１＝Ｋ１・（Ｗａ１−Ｗｉ１）−Ｗｚ１
Ｗ２＝Ｋ２・（Ｗａ２−Ｗｉ２）−Ｗｚ２
Ｗ３＝Ｋ３・（Ｗａ３−Ｗｉ３）−Ｗｚ３
Ｗ４＝Ｋ４・（Ｗａ４−Ｗｉ４）−Ｗｚ４                  ・・・（１）
このように４個のロードセルでなる計量装置において、各ロードセルの初期重量、零点重量、スパン係数を独立に管理する。
【００３４】
ロードセル１Ａ（ＬＣ１）の調整に関し、予め単体の調整時点では、式（１）において零点メモリＷｚ１を０にリセットし、スパン係数Ｋ１＝１にセットし、ロードセルを無負荷の状態にして読み取ったＡ／Ｄ変換荷重信号Ｗａ１を初期荷重Ｗｉ１として初期荷重記憶メモリに入れる。なお、Ａ／Ｄ変換荷重信号はフィルタによって十分安定なように平滑処理する。続いて、重量値が既知である基準負荷荷重（分銅など）をロードセルに負荷し、出力Ｗ１の値が基準負荷荷重の値に等しくなるようにスパン係数Ｋ１を調整する。
【００３５】
次に、計量装置の計量台５に上述のように単体調整されたロードセルを組み込み、計量装置としての調整モードにて、零点メモリＷｚ１を０にリセットし、初期荷重記憶スイッチを押すと、計量台の荷重のうちでロードセル１Ａを支持する分がＡ／Ｄ変換荷重信号Ｗａ１として入力されるので、これを読み取り初期荷重記憶メモリＷｉ１に入り、単体調整時に記憶された初期荷重値を更新記憶させる。
【００３６】
ロードセル１Ｂ〜１Ｄについても同様に行う。ロードセル１Ａ〜１Ｄを計量台へ組み込んだ後は重量測定装置の初期荷重記憶スイッチをもって、初期荷重の記憶は全てのロードセルに共通に同時に行うようにすれば好適である。計量装置の使用中は、重量測定装置において零点調整スイッチを操作すれば、４個のロードセルは共通に同時に零点調整を実施するようにすれば好適である。
【００３７】
また、各ロードセル個別に零点重量付近での安定状態を判別し、出力が安定状態であって、重量表示値のカウントレベルでは０表示であるが、Ｗ１〜Ｗ４を表わすカウントレベルでは零から外れているときには、自動的に零点補正機能を各ロードセル毎に個別に実施する。この場合、Ｗ１〜Ｗ４を、被計量物の重量値としての最小単位の表示重量値の１カウントに対して少なくとも４倍以上大きいカウント数で表せるように高い分解能でもって処理する。
【００３８】
このように処理することによって、通常の計量作業の時点の各ロードセルの出力信号として零点変動分が除去され、負荷荷重の大きさに精確に対応するものが得られるので、スパン異常の検出に対応させることが可能になる。なお、ロードセルの零点の手動調整又は自動調整は、中央演算処理装置５２の中の荷重センサ個別零点調整手段において実行される。
【００３９】
（１．２）確実なスパン異常の判定処理
以下に示すロードセルのスパンの異常検出は、中央演算処理装置５２の中のスパン異常検出手段において実行される。
被計量物の重量値ＷＴは、４個のロードセル１Ａ〜１Ｄの出力でもって、次式で表される。
ＷＴ＝Ｗ１＋Ｗ２＋Ｗ３＋Ｗ４                            ・・・（２）
計量装置の重量表示は、計量台５上の被計量物の重量測定値であるＷＴの値が表示レベルのカウント数に換算されて表示される。この表示値を見ながら作業者は計量作業を行う。したがって、例えばロードセル１Ａとロードセル１Ｂの零点が正負方向にそれぞれ同じ大きな値で変動していても、加算値ＷＴとしての零点は０になるから表示値は０になり、零点調整スイッチは押されない。
【００４０】
Ｗ１、Ｗ２が上述のように変動している場合には、特開２００６−１６２２５２号公報（特許文献１）に記載された方法では、零点変動を誤ってスパン変動量として計算し、スパン異常として警報を発することになる。この点に鑑み、精確にスパン異常を検出するには、各ロードセル１Ａ〜１Ｄの零点が個別に調整されていることを認識できる手段又は個別に零点変動を認識できる手段（中央演算処理装置５２中に設けられる零点変動識別手段）を設けることが必要である。
【００４１】
このため本実施形態では、作業者の零点調整スイッチ操作に頼る場合には、各ロードセル１Ａ〜１Ｄの値も個別に、被計量物の重量表示値と同じ分解能レベルに換算して、計量装置としての被計量物の重量とともに重量測定装置に表示させるようにするか、または、いずれかのロードセルの零点が変動している場合に、すなわち、いずれかのロードセルの出力が零点付近の領域にあることを判別する境界重量値として下限値Ｗｚｌ、上限値Ｗｚｕを定め、いずれかのロードセルの出力Ｗ１〜Ｗ４が定められた零点近傍領域内にある場合に、その旨のサイン（零点変動サイン）を表示装置５４に表示させ、作業者に零点調整スイッチを押す必要性の有無を認識させるようにするか、あるいはいずれかのロードセルが定められた零点近傍領域の範囲外にある場合に、零点調整スイッチを押すのを促すようにされる。この場合、上限値Ｗｚｕ、下限値Ｗｚｌとしては、上記ＷＴから換算された被計量物の重量値表示の最小表示量（最小目盛り値）の値が表示される手前の大きさの値が設定されるのが好ましい。
【００４２】
次に、作業者の零点調整操作に頼れない計量装置の場合、あるいは作業者が零点調整操作を忘れる場合の対策について述べる。この対策としては、各ロードセルの出力信号Ｗ１〜Ｗ４に対して次のように負荷荷重による変動量のみを算出する荷重変動量検出手段を中央演算処理装置５２中に設けることにより、自動的に精確にスパン異常を検出できるようにする。
【００４３】
例えばロードセル１Ａの出力Ｗ１について、このＷ１は、Ａ／Ｄ変換器から読み込まれる荷重信号を平滑処理した後、例えばＴａ＝数１００ｍｓｅｃの時間間隔で生成されるものとし、この生成順に常に最新のＭ個のＷ１が用意されたＭ個のシフトレジスタに記憶されるようにし、記憶されたＭ個のＷ１における最大値−最小値が予め設定された安定限界の許容値以内であれば安定状態にあると判定する。こうして、シフトレジスタの平均値を算出して現在の重量測定用のＷ１、すなわちロードセルの安定重量値とする。この演算処理は、中央演算処理装置５２の中の安定重量値生成手段において実行される。
【００４４】
計量台５に被計量物を載置したとすると、あるタイミングで読み取ったＷ１の値によってシフトレジスタデータが許容値を外れ安定条件が成立しなくなることがある。しかし、安定条件を外れる１つ手前のタイミングでシフトレジスタに入った最新の値は、大抵は許容範囲の限界値である場合が想定されるので、安定重量値としてＷ１の値を算出するには、最も新しく入った値を除外し、Ｍ−１個でもって平均値を求めるのが適切である。
【００４５】
不安定になる直前の安定重量値（最新の安定重量値）を記憶するための安定重量値記憶レジスタを１個用意し、時間間隔Ｔａ毎に連続的に安定重量値が生成されれば、安定重量値が生成されるたびに最新の安定重量値Ｗ１を前回安定重量値Ｗ１ｕとして安定重量値記憶レジスタの内容を更新する。こうして、全てのロードセル１Ａ〜１Ｄの荷重信号に対して、常に最新の安定重量値を安定重量値記憶レジスタに記憶させて最新の値に更新するようにし、それぞれの値を、Ｗ１ｕ，Ｗ２ｕ，Ｗ３ｕ，Ｗ４ｕとする。そして、最新の値の次に各ロードセル１Ａ〜１ＤにＷ１〜Ｗ４の安定重量値が揃って生成されたとき、全てのロードセルの安定重量値と現在記憶している安定重量値とより次の荷重変化量Ｗ１ｐ〜Ｗ４ｐを算出する。この演算処理は、中央演算処理装置５２の中の荷重変化量算出手段において実行される。
Ｗ１ｐ＝｜Ｗ１−Ｗ１ｕ｜
Ｗ２ｐ＝｜Ｗ２−Ｗ２ｕ｜
Ｗ３ｐ＝｜Ｗ３−Ｗ３ｕ｜
Ｗ４ｐ＝｜Ｗ４−Ｗ４ｕ｜                                ・・・（３）
【００４６】
予め安定重量値の変化幅Ｗｈを定め、全てのロードセル１Ａ〜１Ｄの荷重信号において荷重変化量が変化幅Ｗｈを超える大きさであるとき、すなわち次式が同時に成立するときには、各ロードセルにスパン異常を判定するに十分大きい荷重変化量Ｗ１ｐ〜Ｗ４ｐであるとして、各ロードセルのスパン異常を判定する。ここで、Ｗｈの値としては、計量装置の定格荷重Ｗｓに対して各ロードセルには標準的に最大Ｗｓ／４の荷重が負荷されるので、その値の１／４として、Ｗｈ＝Ｗｓ／１６等の値が設定される。
Ｗ１ｐ〜Ｗ４ｐ＞Ｗｈ                                    ・・・（４）
【００４７】
以下に説明するように、各ロードセルの出力信号Ｗ１〜Ｗ４の代わりに、ここで求めたＷ１ｐ〜Ｗ４ｐを用いることによって、新たに計量台上に載置した被計量物の重心の座標値、座標値に対応するスパン評価係数の基準値、現在のスパン評価係数を算出する。Ｗ１〜Ｗ４は上述の判定を行った後、Ｗ１ｕ〜Ｗ４ｕとして安定重量値記憶レジスタに記憶して更新させる。なお、スパンの異常を判定するには十分に大きい荷重変化量である必要がある。この荷重変化量が小さければ、所謂Ｓ／Ｎ比が小さくなり精確な判定ができない。
【００４８】
本実施形態のスパン異常判定法によれば、荷重信号があるタイミングでの安定から次のタイミングでの安定までの間の荷重変化量によってスパン異常を判定することができる。また、計量台上に被計量物がない場合だけでなく、被計量物が載置されていて荷重信号が安定しているところへ新たな被計量物を載置しても、零点の変動を含まないロードセル毎の荷重変化量を使用してスパンの異常を検出、判定することができる。したがって、作業者が零点操作を忘れていても、零点変動分をスパン変動分として異常判定することを防止できる。
【００４９】
（２）計量台上の任意の位置における各ロードセル出力を関係づける係数について（図１（ｂ）参照）
（２．１）ｘ軸上の任意の位置
以下に述べるロードセル１Ａ〜１Ｄの出力信号には上記で算出した荷重変化量Ｗ１＝Ｗ１ｐ，Ｗ２＝Ｗ２ｐ，Ｗ３＝Ｗ３ｐ，Ｗ４＝Ｗ４ｐを用いるのが好ましい。なお、人為的に零点調整された出力を用いても良い。
ロードセルが精確に四辺形の四隅に配置されていなければ、全てのロードセルの出力信号が正常であってもＷ１／Ｗ２の値とＷ４／Ｗ３の値とは等しくない上に、計量台５上での被計量物の重心位置Ｇの変化に応じて徐々に変化する。トラックスケールのように被計量物（貨物自動車）が、図１に示されるように、計量台５上のほぼ中央のセンターライン（Ｃ．Ｌ）上付近で重量測定される場合であれば、Ｗ１／Ｗ２とＷ４／Ｗ３との関係を、次式
Ｗ１／Ｗ２＝ｒ・（Ｗ４／Ｗ３）                          ・・・（５）
と置いて、計量台５上に載置された被計量物の重心位置Ｇのｘ座標によってｒ（「スパン評価係数」と呼ぶ。）の値が変化すると考えることができる。ただし、Ｗ１／Ｗ４＝ｒ・（Ｗ２／Ｗ３）としても良い。そこで、ｒをｘの関数である、
ｒ＝ｆ（ｘ）                                            ・・・（６）
で表し、次式の関係に置く。
ｒ＝ｆ（ｘ）＝（Ｗ１／Ｗ２）／（Ｗ４／Ｗ３）            ・・・（７）
【００５０】
＜調整モード＞
調整モードにて、全てのロードセルのスパンが正常な場合のｒ（スパン評価係数）とｘとを関係づける関数ｒ＝ｆ（ｘ）を求める。
【００５１】
ロードセルの出力信号から求める被計量物のｘ，ｙ座標の位置は図１から次式のようになる。
ｘ＝[｛Ｗ２／（Ｗ１＋Ｗ２）｝＋｛Ｗ３／（Ｗ３＋Ｗ４）｝]・Ａ／２
ｙ＝[｛Ｗ３／（Ｗ２＋Ｗ３）｝＋｛Ｗ４／（Ｗ１＋Ｗ４）｝]・Ｂ／２
・・・（８）
【００５２】
計量台５上に先に何らかの被計量物があって、新たに被計量物を追加的に載置する場合には、上述のように荷重変化量Ｗ１ｐ〜Ｗ４ｐを算出してＷ１〜Ｗ４に置き換え計算するので、追加した被計量物の重心位置を求めることになる。
これら被計量物の位置ｘ，ｙ及び各ロードセルの荷重変化量は重量測定装置の表示器に表示させる。
【００５３】
重量測定装置の調整モードにて、分銅又はトラックスケールの場合には貨物自動車などのテストサンプルとなる被計量物を、計量台５の中央付近をｘがｘ＜（１／２）・Ａにある場合からｘ＞（１／２）・Ａにある場合の間で、ｘ座標の表示を確認しながらｘ＝（１／２）・Ａを中心に少しの距離ずつ移動させる。
【００５４】
ここで、テストサンプルの荷重としては、任意のものを用いることができるが、計量装置の定格荷重以下の荷重で大きい値のものを用いるのが好ましい。また、ｘ座標の表示値としては、ｘ＝Ａ／４〜（３／４）・Ａの間で変化するように移動させるのが好ましい。また、テストサンプルはできるだけ図１（ａ）のｙ＝Ｂ／２で表されるセンターラインに沿って移動させながら測定するのが好ましい。つまり、ｙ座標はできるだけｙ＝Ｂ／２と表示されるように移動させるのが好ましい。
【００５５】
ｘ＝（１／２）・Ａを中心に左右に何箇所かにテストサンプルを移動させ、ｘ座標値を適切な間隔に変更し、テストサンプルの位置を変更する度に安定重量値が求まる。各ロードセル１Ａ〜１Ｄの荷重変化量が求まると、この荷重変化量の表示値を確認して重量測定装置に設けた測定データ記憶スイッチを押す。そうすると、測定データ記憶スイッチが押される度に、各ロードセル１Ａ〜１Ｄの荷重変化量から式（７）によってスパン評価係数ｒが算出され、ｘ座標値と共に重量測定装置の演算回路２６のメモリブロック５３に記憶される。
【００５６】
ｘ＝（１／２）・Ａを中心にその両側で複数個のｘ座標に対応するスパン評価係数が求まると、重量測定装置に設けられたスパン評価係数の基準値設定スイッチを押すと、ｘをｘ＜（１／２）・Ａの範囲と、ｘ≧（１／２）・Ａの範囲とに分け、最小自乗法等の方法により、ｒについて、ｘに関するスパン評価係数の基準値を求める関数ｆａ（ｘ）とｆｂ（ｘ）として、それぞれの範囲別に一次式又は多次式を決定（ｘ座標値用スパン評価係数基準値算出式決定手段）して次式の形で表し、これをスパン評価係数基準値のｘ座標値に関する関数として演算回路２６のメモリブロック５３に記憶させる。
ｒａ＝ｆａ（ｘ）  （ｘ＜（１／２）・Ａについて）
ｒｂ＝ｆｂ（ｘ）  （ｘ≧（１／２）・Ａについて）        ・・・（９）
【００５７】
いずれか１個のロードセルのスパンがある比率だけ変動すると、４個のロードセルの出力から直接求めるスパン評価係数もロードセルのスパンの変動量と同じ割合で変化する。しかし、ロードセルの四辺形の四隅位置からのズレが小さい場合は、この小さく変化したロードセルの出力から求めたｘ座標（ｘ座標もロードセル出力の変化割合と同じだけ変化する。）を使用して求められるスパン評価係数の変化量は小さいので（ズレの量が０である場合は被計量物のｘ座標値が如何に変化しようともスパン評価係数は全く変化しない。）、通常運転時にロードセル出力から求めたｘ座標によって算出されるスパン評価係数の基準値と、そのときのロードセルの出力から直接求められるスパン評価係数とを比較することによって、４個の中のある１個のロードセル出力のスパンの変動率を求めることができる。
【００５８】
なお、上述の説明では、ｘ＝（１／２）・Ａを境に２種類の関数を設定するものとしたが、ｘの値に範囲を設けず、１種類の関数を設定するようにしても良い。さらに、ｘ座標の範囲を細分化して、それぞれの範囲においてスパン評価係数の関数を設定するようにしても良い。
【００５９】
以上は、四隅の各ロードセル出力のスパンが全て正常な場合において、被計量物の重心が任意のｘ座標位置にある場合のスパン評価係数をスパン評価係数の基準値として求める方法である。
【００６０】
＜通常運転時＞
通常運転時（通常の計量作業中）には、計量台５に被計量物を載置すると、全てのロードセルについて、荷重変化量Ｗ１ｐ〜Ｗ４ｐを揃って取得できた時点で、これらを荷重変化量Ｗ１〜Ｗ４として、Ｗ１／Ｗ２とＷ４／Ｗ３とを算出し、被計量物の現在の載置位置でのスパン評価係数ｒｘを、次式にて算出する（ｘ座標値用スパン評価係数算出手段）。
ｒｘ＝（Ｗ１／Ｗ２）／（Ｗ４／Ｗ３）                    ・・・（１０）
【００６１】
通常運転時において、いずれのロードセルも出力のスパンが正常であれば、（Ｗ１／Ｗ２）／（Ｗ４／Ｗ３）によって求まるスパン評価係数ｒｘは、そのときの被計量物の重心位置のｘ座標をロードセル出力から求め（被計量物重心位置算出手段）、求めたｘ座標から上式によって算出されるスパン評価係数の基準値と略等しい。もしいずれかのロードセルの出力のスパンに異常があれば、スパン評価係数ｒｘは全てのロードセルが正常な場合に比べ、当該ロードセルのスパンの変化率と同じ変化率でもって算出される。
【００６２】
一方、いずれのロードセルのスパンも正常である場合の被計量物の現在の載置位置でのスパン評価係数基準値としては、荷重変化量Ｗ１〜Ｗ４によって被計量物の重心位置のｘ座標を求め（被計量物重心位置算出手段）、式（９）に示されるようにｘの座標値の範囲に応じてｆａ（ｘ）またはｆｂ（ｘ）のいずれかに代入して求める。
【００６３】
ロードセルの設置位置の四辺形の四隅位置からのズレが小さいときは、上記で定義したスパン評価係数が、計量台上における被計量物の重心位置の変化に応じて変化する割合は小さいので、ロードセルのスパンの変動があれば同じ割合でｘ座標が変化しても、ｘ座標値に基づいて算出したスパン評価係数の基準値はロードセルのスパン変動がない場合に算出されるスパン評価係数の基準値にほぼ等しい。したがって、下記のようにしていずれか１個のロードセルのスパン変化率を算出することができる。
例えばｘ座標値が、ｘ＜（１／２）・Ａであれば、ｒａ＝ｆａ（ｘ）にｘ座標値を代入して、現在のｘ座標値に対するスパン評価係数基準値ｒａを算出する。これによって、スパンの基準値からの変化率Ｓｘは、ｒｘとｒａとを比較し、次式によって算出される。
Ｓｘ＝｜ｒｘ−ｒａ｜／ｒａ                              ・・・（１１）
【００６４】
スパン変化率Ｓｘに対する許容値Ｒｈを予め設定しておくと、スパン変化率Ｓｘを許容値Ｒｈとを大小比較し、次式が成立すれば計量装置はいずれかのロードセルのスパン係数が異常であると判定し、表示器や、ブザー、外部出力などに、種々の方法で警報信号を出力する。
Ｓｘ＞Ｒｈ                                              ・・・（１２）
【００６５】
（２．２）ｘ，ｙ軸上の任意の位置
（２．２．１）ｘ，ｙ座標によってスパン評価係数を求める方法
より精確性を得るために、ｘ，ｙ座標をｘ，ｙの値によって４象限に分け、それぞれの象限においてｘ，ｙ座標に応じたスパン評価係数の基準値を求める関数を決定する（ｘ，ｙ座標値用スパン評価係数基準値算出式決定手段）。この方式は、計量台５上の任意の位置に被計量物が載置される計量装置に適用することができる。
【００６６】
＜調整モード＞
調整モードにてｘ＝（１／２）・Ａとｙ＝（１／２）・Ｂを結ぶ直線で計量台面を４等分して、それぞれ第１象限〜第４象限とし、テストサンプルの重心座標をそれぞれの象限に位置させ、象限別にｘ，ｙ座標値に対応するスパン評価係数の基準値を求める。テストサンプルの計量台上のｘ，ｙ座標値は各ロードセルの出力信号を測定することによって式（８）により算出し、重量測定装置に表示させる。また、同時に荷重変化量も表示させる。
【００６７】
まず、第１象限用：ｘ＜（１／２）・Ａ、ｙ＜（１／２）・Ｂの範囲内でテストサンプルの載置位置を変え、スパン評価係数の基準値ｒ１を、次式
ｒ１＝（Ｗ１／Ｗ２）／（Ｗ４／Ｗ３）                    ・・・（１３）
を用い、ｘ，ｙ座標値と共に、複数箇所でロードセル１Ａ〜１Ｄの出力信号を測定することによって算出する。こうして、第１象限内での複数個の測定点での座標値（ｘ，ｙ）に対応するｒ１を求める。
【００６８】
次に、第１象限のスパン評価係数基準値算出式を、次式
ｒ１＝ａ１・ｘ＋ｂ１・ｙ＋ｃ１                          ・・・（１４）
と定め、やはり最小自乗法などの手法でａ１，ｂ１，ｃ１の値を求め、第１象限内の任意の重心位置（ｘ，ｙ）に対するスパン評価係数基準値ｒ１の算出式を定める。
【００６９】
同様に、第２象限用：ｘ≧（１／２）・Ａ、ｙ＜（１／２）・Ｂの範囲内の任意の重心位置（ｘ，ｙ）に対するスパン評価係数基準値ｒ２の算出式を定め、第３象限用：ｘ≧（１／２）・Ａ、ｙ≧（１／２）・Ｂの範囲内の任意の重心位置（ｘ，ｙ）に対するスパン評価係数基準値ｒ３の算出式を定め、第４象限用：ｘ＜（１／２）・Ａ、ｙ≧（１／２）・Ｂの範囲内の任意の重心位置（ｘ，ｙ）に対するスパン評価係数基準値ｒ４の算出式を定める。こうして定められたｉ象限（ｉ＝１，２，３，４）におけるスパン評価係数基準値ｒｉの算出式は象限別に演算回路２６のメモリブロック５３に記憶させる。
【００７０】
＜通常運転時＞
通常運転時（通常の計量作業中）には、計量台５に被計量物を載置すると、全てのロードセルについて、全てのロードセルの荷重変化量Ｗ１ｐ〜Ｗ４ｐを揃って取得できた時点で、これらをＷ１〜Ｗ４として、被計量物の重心位置のｘ，ｙ座標を算出し（被計量物重心位置算出手段）、被計量物の載値位置が第何象限であるかを定めるとともに、定めた象限に対応する関数をｒ１〜ｒ４の中から選択し、この選択した関数にｘ，ｙ座標値を代入して被計量物の載値位置に対応するスパン評価係数基準値を算出する（ｘ，ｙ座標値用スパン評価係数算出手段）。続いて、Ｗ１〜Ｗ４の値から現在の被計量物のスパン評価係数を算出し、式（１１）でもっていずれかのロードセルのスパンが異常であるか否かを判定する。
【００７１】
（２．２．２）ｘ，ｙ座標による比例配分によってスパン評価係数を求める方法
計量台がトラックスケールなどに比べて小型の場合に、調整モードにおいて、図３（ａ）に示されるｅ，ｆ，ｇ，ｈ，ｐ点の付近に分銅を置いて四隅誤差の検証を行い、この四隅検証の計量結果を用いて任意の位置におけるスパン評価係数の基準値を定める方法である。
【００７２】
＜調整モード＞
調整モードにおいて、四隅調整の機会を利用し、調整時点で特定の１個のロードセルのフルブリッジ出力と他の３個のロードセルのフルブリッジ出力の組み合わせ値によって四隅座標ｅ点（Ａ／４，Ｂ／２）、ｆ点（（３／４）・Ａ，Ｂ／２）、ｇ点（Ａ／２，（３／４）・Ｂ）、ｈ点（Ａ／２，Ｂ／４）及び中央のｐ点（Ａ／２，Ｂ／２）に対応するスパン評価係数の基準点として、それぞれの点に既知の重量の被計量物を載値したときの各ロードセルの出力より、係数ｒｅ，ｒｆ，ｒｇ，ｒｈ，ｒｐを求め、演算回路２６のメモリブロック５３に記憶させる。
【００７３】
例えばｒｅについて、図３（ａ）のｅ点付近に被計量物の重心が来るように分銅を置いたとき、つまり調整モードにてｘ，ｙ座標表示値が、ｘ≒Ａ／４、ｙ≒Ｂ／２を表示する付近において、係数記憶スイッチを押して、ロードセル１Ａ〜１Ｄの荷重変化量Ｗ１〜Ｗ４を測定し、次式によりｒｅを求める。
ｒｅ＝（Ｗ１／Ｗ２）／（Ｗ４／Ｗ３）                    ・・・（１５）
ｅ点以外のｆ点、ｇ点、ｈ点、ｐ点についても同様にして、それぞれｒｆ，ｒｇ，ｒｈ，ｒｐを求める。そして、これら基準座標値におけるスパン評価係数の基準値を重量測定装置のメモリに記憶させる。
【００７４】
＜通常運転時＞
通常運転時に、被計量物の重心のｘ，ｙ座標を、上記のように荷重変化量Ｗ１〜Ｗ４を揃って取得できた時点で式（８）により算出する。いま、計量台５上の被計量物の重心位置ｍの座標が図３（ａ）においてｍ（ｘ，ｙ）であったとすると、算出したｘ，ｙ座標値と、ｘ＝Ａ／２、ｙ＝Ｂ／２との大小比較によってｍ点が座標の上で第何象限にあるかを決定する。そして、ｍ点の所属する象限によって基準位置の座標と、それに対応する評価係数の基準値を選択する。
【００７５】
例えば、図３（ｂ）に示されるように、ｍ点が第４象限にある場合には、ｐ点、ｇ点、ｅ点のスパン評価係数基準値に基づいてｍ点のスパン評価係数基準値を定めるものとする（他の象限についても同様）。
このとき、まずｋ１，ｋ２，ｑ１，ｑ２の値を求める。ｅ´点の基準値は、ｅ点、ｐ点の基準値をｋ１とｋ２との比率によって、次式にて求める。
ｒｅ´＝（ｋ１・ｒｐ＋ｋ２・ｒｅ）／（ｋ１＋ｋ２）      ・・・（１６）
同様に、ｇ´点の基準値は、ｇ点、ｐ点の基準値をｑ１とｑ２との比率によって、次式にて求める。
ｒｇ´＝（ｑ２・ｒｐ＋ｑ１・ｒｇ）／（ｑ１＋ｑ２）      ・・・（１７）
ｍ点のスパン評価係数の基準値ｒｍは、ｋ２とｑ１の比率によって、次式となる。
ｒｍ＝（ｑ１・ｒｇ´＋ｋ２・ｒｅ´）／（ｋ２＋ｑ１）    ・・・（１８）
そして、一方でＷ１〜Ｗ４によって現在の被計量物によるスパン評価係数を算出し、上記式（１１）（１２）に基づいてスパンの異常があれば警報信号を出力する。
【００７６】
以上のように、本実施形態の計量装置によれば、零点の変動に影響されず、また被計量物の計量台上での載置位置に影響されず、通常の計量作業の継続中に特別の操作を必要とせず、いずれかのロードセルのスパンに異常が生じた場合に精確に警報することができる。また、荷重信号変化量を用いれば、荷重信号が零点に戻らなくても、計量台上に追加した被計量物によって警報することができる。異常判定がなされると、重量測定装置によっていずれかのロードセルのスパンが異常である旨のサインが、作業者に識別できる表示内容でなされ、且つスパンの変化率も表示される。警報信号としては、ランプ表示、文字表示、音声などの手段を用いることができる。
【産業上の利用可能性】
【００７７】
本発明の計量装置は、コンベヤスケールやホッパスケール、トラックスケール、台秤、料金秤などの計量器で使用されるストレインゲージ式ロードセルに生じるスパンの異常を検出する用途に好適に用いることができる。
【符号の説明】
【００７８】
１Ａ，１Ｂ，１Ｃ，１Ｄ  ロードセル
５                      計量台
２６                    演算回路
５２                    中央演算処理装置
５３                    メモリブロック
５４                    表示装置
【図１】
0005679852.tif 000002
【図２】
0005679852.tif 000003
【図３】
0005679852.tif 000004